(57)【要約】【課題】給電ケーブルや、給電端からの電磁界の漏れを少なくして、電流値からの計算値と一致した強度の磁界を発生できる磁界発生装置を実現する。【解決手段】同径の２つの円形シールデッドループをヘルムホルツコイルの構成と同じに配置したコイル部と、コイル部に給電する給電系と、給電に用いる同軸型給電線と、を備えるシールデッドループを用いたヘルムホルツコイル型磁界発生装置とする。給電は、シールデッドループが、互いに同じ向きの場合は同相、反対向きの場合は逆相とする。また、給電は、単方向性結合器または双方向性結合器を通じて行うものとし、分岐出力で、給電電力と反射波の電力を測定する。【選択図】図１
2011222761.tif 000002
【特許請求の範囲】
【請求項１】
同径の２つの円形シールデッドループをヘルムホルツコイルの構成と同じに配置したコイル部と、
上記コイル部に給電する給電系と、
上記給電部から上記コイルに給電するための同軸型給電線と、
を備えることを特徴とするシールデッドループを用いたヘルムホルツコイル型磁界発生装置。
【請求項２】
上記シールデッドループの同軸線路部分と上記同軸型給電線のシールド部部分と中心導体部分はそれぞれ電気的に連続したものであることを特徴とする請求項１に記載のシールデッドループを用いたヘルムホルツコイル型磁界発生装置。
【請求項３】
上記２つの円形シールデッドループは、その中心の磁界方向に並進対称性を有する配置であることを特徴とする請求項１または２のいずれか１つに記載のシールデッドループを用いたヘルムホルツコイル型磁界発生装置。
【請求項４】
上記２つの円形シールデッドループに互いに同相の交流電流を給電する分配器を上記給電系に備えることを特徴とする請求項３に記載のシールデッドループを用いたヘルムホルツコイル型磁界発生装置。
【請求項５】
上記２つの円形シールデッドループは、該円形シールデッドループのコネクタ部と給電部を結ぶ線を中心に半回転することで、その中心の磁界方向に並進対称性を有する配置であることを特徴とする請求項１または２のいずれか１つに記載のシールデッドループを用いたヘルムホルツコイル型磁界発生装置。
【請求項６】
上記２つの円形シールデッドループに互いに逆相の交流電流を給電する分配器を上記給電系に備えることを特徴とする請求項５に記載のシールデッドループを用いたヘルムホルツコイル型磁界発生装置。
【請求項７】
上記給電系から単方向性結合器または双方向性結合器を通じて上記コイル部に給電し、上記単方向性結合器または双方向性結合器からの出力を用いて、上記コイル部への給電電力を測定することを特徴とする請求項１から６のいずれか１つに記載のシールデッドループを用いたヘルムホルツコイル型磁界発生装置。
【請求項８】
測定した上記給電電力と予め測定したＳパラメータを用いて算出した磁界強度を表示する表示手段を備えることを特徴とする請求項７に記載のシールデッドループを用いたヘルムホルツコイル型磁界発生装置。
【発明の詳細な説明】
【技術分野】
【０００１】
この発明は、一定電磁界強度領域の体積が大きく、主に長波から短波帯領域での、また、小型化によってはさらに高い周波数帯での各種装置の校正や被試験体への均一磁界照射に用いることができ、給電線からの漏れ電磁界がない磁界発生装置で、特にシールデッドループを用いたヘルムホルツコイル型磁界発生装置に関している。
【背景技術】
【０００２】
一般に磁界測定器の校正は、標準磁界中での測定値を用いて行われる。このため一定電磁界強度領域の体積が大きく、しかも理論値と一致した強度の磁界を発生できる磁界発生装置が求められている。その例として、直流から１００ｋＨｚの周波帯においては、ヘルムホルツコイルが知られている。ヘルムホルツコイルは、同じ直径の２つのコイルで構成しコイル間の間隔を半径に等しくなる様に配置したものである。通常、ヘルムホルツコイルのコイル部は、導線を巻いたものであり、後に説明する様に、導線を流れる電流値を測定することで２つのコイル間の空間に発生する磁界強度を決定できる。
【０００３】
しかしながら、周波数が高くなると、インピーダンスが大きくなり、導線に電流を流すことは困難になる。また、高周波電流を導線で作られたコイルに流すと、その電流は正確に測定できない。本発明は、この様な問題を解決するものであり、従来のヘルムホルツコイルよりも、より高い周波数の磁界を正確に発生させることができるものである。
【０００４】
特許文献１（特開２００６−１８４２６４号公報）に記載されている様に、ヘルムホルツコイルは、直流から１００ｋＨｚ程度の周波数までの範囲で磁界発生装置に使用されている。これは、図８に示す様に、導線で巻かれた直径２ａの２つのコイルをコイルが作る平面が平行になる様に配置した構造からなる。２つのコイル間の距離をｄ＝ａ、Ｎをコイルの巻き数、Ｉをコイルを流れる電流値とするとき、コイル間の中心（基準点）に発生する磁界Ｈｚは次式で与えられる。
【０００５】
【数１】
2011222761.tif 000003
【０００６】
ヘルムホルツコイルは、２つのコイル間の基準点を含む平面Ｓに一様な磁界強度分布を作ることができ、その強度は数１を使って簡単に得られ、また、基準点には電界が発生しないという特長がある。
【０００７】
しかしながら、ヘルムホルツコイルは、周波数が高くなるにつれて、コイルのインピーダンスのリアクタンス成分が大きくなるため電流が流れにくくなる。その様なインピーダンスの大きな負荷に対して大電流を流すためには、電圧を高くせざるを得ず、その結果、巨大な電源装置が必要となるという問題がある。
【０００８】
また、コイルは導線で巻かれているため、周波数が高くなると分布定数回路としての取り扱いが難しくなり、床面と導線の間でいわゆるコモンモード電流が流れる等、電流計では電流が正確に測定できず、発生している磁界強度を数１を使って正確に求めることができなくなるという問題がある。
【先行技術文献】
【特許文献】
【０００９】
【特許文献１】特開２００６−１８４２６４号公報
【発明の概要】
【発明が解決しようとする課題】
【００１０】
上記の様に、ヘルムホルツコイルは、周波数が高くなるにつれて、コイルのインピーダンスのリアクタンス成分が大きくなるため電流が流れにくくなる。その様なインピーダンスの大きな負荷に対して大電流を流すためには、電圧を高くせざるを得ず、その結果、巨大な電源装置が必要となるという問題がある。
【００１１】
また、コイルは導線で巻かれているため、周波数が高くなると分布定数回路としての取り扱いが難しくなり、床面と導線の間でいわゆるコモンモード電流が流れる等、電流計では電流が正確に測定できず、発生している磁界強度を数１を使って正確に求めることができなくなるという問題がある。
【００１２】
上記のヘルムホルツコイルに高周波電流を流す場合には、平衡給電となるが、給電ケーブルの特にコイルとの接続部分で電磁界が漏れやすい。そこで、同軸ケーブルを用いることで漏れ電磁界をなくすことができるが、よく知られているように、同軸ケーブルを用いた給電は非平衡給電であって、バラン（平衡−非平衡変換器）を用いて平衡給電に変換する必要がある。バランは、一般に、シールドを完全にするため金属ケースに収められており、ヘルムホルツコイルの極近くに設置されるため、バランによって電磁界が乱されることがある。このため、バランを用いる必要が無い構成が求められている。
【課題を解決するための手段】
【００１３】
本発明のヘルムホルツコイル型磁界発生装置は、同径の２つの円形シールデッドループをヘルムホルツコイルの構成と同じに配置したコイル部と、上記コイル部に給電する給電系と、上記給電部から上記コイルに給電するための同軸線路と、を備えるものである。
【００１４】
また、上記シールデッドループの同軸線路部分と上記同軸線路のシールド部分と中心導体部分は、それぞれ電気的に連続したものである。これは、シールデッドループを用いることで可能となり、給電線路や給電部分からのコモンモード電流や漏れ電磁界を抑制することができる。
【００１５】
シールデッドループの巻き数の半分は同軸線路のシールド部分であり、残りの半分は中心導体部分に接続された導体部分である。従って、シールデッドループは給電部分を通る直線について対称でないので、これを用いることで、配置に選択肢が生じる。選択肢の１つとして、上記２つの円形シールデッドループについて、その中心の磁界方向に並進対称性を有する配置とすることができる。
【００１６】
この場合には、上記２つの円形シールデッドループに給電する分配器は、互いに同相の交流電流を給電するものである。この場合の分配器は構造が簡単なパワースプリッターを用いることができる。
【００１７】
上記の配置の他に、上記２つの円形シールデッドループについて、上記２つの円形シールデッドループのうちの１つを、コネクタ部と給電部を結ぶ線を中心に半回転することでその中心の磁界方向に並進対称性を有する配置とすることができる。つまり、それぞれのシールド部分と中心導体部分とが向き合う配置とすることができる。
【００１８】
この場合には、上記２つの円形シールデッドループに給電する分配器は、互いに逆相の交流電流を給電するものである。この場合の分配器は、構造が簡単な１８０°ハイブリッド回路を用いることができる。これによって、漏れ磁場あるいは漏れ電流やコモンモード電流による磁場の一部を相殺することができる様になる。
【００１９】
上記コイル部への給電電力を測定するに当たって、特に大電力の給電を行う場合には、単方向性結合器または双方向性結合器を通じて上記コイル部に給電し、上記の単方向性結合器または双方向性結合器で上記コイル部への給電の一部を取り出してその電力を測定するものである。また、特に双方向性結合器の場合には、さらに、上記シールデッドループからの反射信号を出力することができるので、必要に応じて反射電力強度を測定することが可能である。得られた電力からシールデッドループに流れる電流を決定することが可能であり、発生する磁界の強度を知ることができる。一般に、シールデッドループに流れる上記電流を決定するためには、
１）配線上に直列に電流計を挿入する、
２）配線上に直列に抵抗（抵抗値が既知）を挿入して、抵抗の両端に発生する電圧を測定して求める、
３）配線をくるむ様に電流プローブ（カレントプローブ）をかませて、電流を測定する、
などの方法を採用することができる。この場合は、電流計を挿入した位置を流れる電流と、ループコイルを流れる電流の大きさは等しい場合である。しかし、周波数が高くなるに従って、これらの電流値が乖離してしまうことが知られている。また、
４）ループコイルに熱電対を挿入する、
という方法があるが、周波数が高くなるに従って、熱電対の測定値への影響が無視できなくなる。
【００２０】
また、測定した上記給電電力と予め測定したＳパラメータを用いて算出した磁界強度を表示する表示手段を備えるものである。この方法であれば、方向性結合器を流れる電流値と、ループコイルを流れる電流値は違っても問題ない。また、ループコイルから離れた場所で測定が可能であり、発生磁界の分布を乱すことが無く、より高周波への対応が可能である。
【発明の効果】
【００２１】
給電ケーブルや、給電端からの電磁界の漏れを少なくして、電流値からの計算値と一致した強度の磁界を発生できる磁界発生装置を実現することができる。
【図面の簡単な説明】
【００２２】
【図１】本発明による、シールデッドループを用いたヘルムホルツコイル型磁界発生装置例を示す図である。
【図２】シールデッドループの詳細を示す図である。
【図３】シールデッドループの給電部に熱電対を取り付けて電流測定を行う例を示す図である。
【図４】２つの円形シールデッドループの配置を示す図である。
【図５】シールデッドループ単体の場合と本発明による磁界発生装置の場合の磁界の分布を示す図である。
【図６】中心からの距離に対する磁界強度分布の関係を示すグラフである。
【図７】中心からの距離に対する磁界の方向とＺ軸が作る角度の関係を示すグラフである。
【図８】通常の、ヘルムホルツコイルを用いた磁界発生装置を示す図である。
【図９】本発明に用いることができるシールデッドループの例を示す図である。
【発明を実施するための形態】
【００２３】
以下に、この発明の実施の形態を図面に基づいて詳細に説明する。以下の説明においては、同じ機能あるいは類似の機能を備える装置に、特別な理由がない場合には、同じ符号を用いるものとする。
【実施例１】
【００２４】
本発明による、シールデッドループを用いたヘルムホルツコイル型磁界発生装置例を図１に示す。これは、同径の２つの円形シールデッドループ１、２をヘルムホルツコイルの構成と同じに配置したコイル部１００と、上記コイル部に給電する給電系２００と、上記給電部から上記コイルに給電するための同軸線路３、４と、を備えるものである。
【００２５】
この例は、高周波領域で高出力な一様磁界の発生を可能にするために同軸線路を用いたもので、標準磁界発生装置として使用することができる。特徴としては、まず、ヘルムホルツコイルと類似の構造にすることにより、一様な平面磁界を発生させることを可能にした。また、ヘルムホルツコイルを構成する２つのコイル１、２は、それぞれシールデッドループアンテナとして知られているシールデッドループ構造をもつものとし、前記２つのコイルへの給電は給電系２００から行うが、電流を２等分する分配器５を用いて同軸線路３、４で行った。これによって、高周波まで対応することができる。
【００２６】
シールデッドループ１または２の詳細を図２に示す。図２（ａ）は、巻数１の２つのシールデッドループの一方（半径ａ）のみを示すものである。コネクタ１２と同軸線路部分１１との接続は、コネクタ１２と同軸線路部分１１のシールド同士や芯線同士はそれぞれ電気的に連続している。同軸線路部分１１と導線部分１０との接続は給電部１３で行う。この給電部１３では、同軸線路部分１１の芯線と導線部分１０が接続され、この芯線がシールドの径で延長されたものに等しい。また、導線部分１０は、コネクタのシールドと接続されて、ループが完了する。同軸線路部分１１と導線部分１０との長さは、等しいものとする。また、同軸線路部分１１のシールドと導線部分１０の直径は同じものとする。もし、長さや直径が異なる導体を用いる場合には、外部に誘電体の鞘をつける等して同軸線路部分１１のシールドと導線部１０にそれぞれ流れる電流の大きさ及び位相変化量を等しくすることが望ましい。
【００２７】
このシールデッドループ１または２は、同軸線路を用いて給電する。コネクタ１２から入力した電力は天頂の給電部１３にて給電され、電流Ｉが同軸線路部分１１の外皮と導線の表面を流れる構造となっており、いわゆるシールデッドループアンテナの場合と同様である。図２（ｂ）に示す様に多回巻きの場合には、同軸線路部分１１の巻き数と導線部分１０の巻き数を同じとしている。図２（ｂ）では、半径が定まらない巻き方であるが、整然と巻いた構造とするのが望ましい。
【００２８】
図１において、信号発生器８から出力した電力は、増幅器７で所望の電力に増幅され、方向性結合器６のポート１に入る。方向性（または双方向性）結合器６では、一部の信号がポート２に取り付けられた電力計９に入るが、ほとんどの電力が分配器５に到達する。分配器５では電力が２等分され、ポート３、ポート４から出力する。出力した電力はコイルに入り給電部に到達する。到達した電力によってコイルに電流が流れ磁界が発生する。
【００２９】
上記の様に、シールデッドループ構造のループコイル１または２は多回巻きでもよい。巻き数をＮ（１以上の整数）とすれば、同電流での発生磁界強度は１回巻きのＮ倍になる（図２）。ただし、同軸線路部分と導体部分それぞれの巻数は同じとし、また、絶縁体被覆を設けるなどして短絡しない様にする必要がある。また、同じ磁界を発生させるための電流量は１／Ｎ倍で済むことは明らかである。
【００３０】
電流測定については、図３に示す様にシールデッドループの給電部に熱電対を取り付けて直接測定することも可能であるが、高周波領域では熱電対が正しく動作せず、また、大電流を流すと壊れてしまう。そこで、高周波領域でしかも高出力で磁界を発生させる場合には、図１にある様に、方向性（または双方向性）結合器６と電力計９を用いて間接的に電流を測定する様にする。方向性（または双方向性）結合器６としては、給電電力を出力する単方向性結合器または給電電力と反射波電力をそれぞれ出力できる双方向性結合器を用いる。これによって、大電流を流すことが可能になり、強磁界を発生させることが可能となった。
【００３１】
図９に本発明に用いることができるシールデッドループのその他の例を示す。
図９（ａ）は、同軸線路部分を左右対称に配置したもので、給電部では、同軸線路構造のシールド部が取り除かれた構造となっている。この２つの同軸線路部分への給電は、同軸線路で給電される１８０度ハイブリッドを通して行う。この１８０度ハイブリッドと図９（ａ）のシールデッドループ間は、同軸線路で接続する。この接続用の同軸線路は、上記１８０度ハイブリッドがコイルの中心での磁界に対する影響が充分抑制される程度に充分な距離を設けることが望ましい。
また、図９（ｂ）では、同軸線路部分と導線部分との接点が給電点となるが、左右対称にこの給電点を２つ配置したものである。１８０度ハイブリッドとの接続は、その同軸線路部分の中間点において同軸線路と１８０度ハイブリッドを通じて行う。この場合も、接続用の同軸線路は、上記１８０度ハイブリッドがコイルの中心での磁界に対する影響が充分抑制される程度に充分な距離を設けることが望ましい。
また、図９（ｃ）は、図９（ａ）の構成から１８０度ハイブリッドを取り除けるようにしたものであり、２つの同軸線路部分の一方の給電点でない一端を無反射端で終端する。
【００３２】
図１の構成において、電流値から基準点における発生磁界を求めるには、次の数２を用いる。
【００３３】
【数２】
2011222761.tif 000004
【００３４】
ここで、Ｓ31、Ｓ21は、それぞれポート１からポート３、ポート１からポート２への透過Ｓパラメータ、Γ3はシールデッドループの反射係数、Ｚ0は同軸線路の特性インピーダンス、ＰMはポート２に接続された電力計で測定される電力である。電力計の代わりにスペクトラムアナライザ等を用いて測定を行ってもよい。周波数を連続的に変化させても強度が既知の磁界を発生させることが可能となる。
【００３５】
図１が理想的なシステムの場合、電力計で測定された電力ＰMに対し、数２で与えられた強度の磁界が発生するが、実際には、各ポートで反射が起こったり、方向性結合器の内部で損失が生じたりといった不完全性が存在する。いま、上記システムを、ポート１からポート４までの４ポート回路と考える。このシステムは各ポートに同軸コネクタがあるので、ベクトルネットワークアラナイザなどの測定器を用いてＳパラメータを測定することが可能である。またコイルも、ポート３ないしポート４に接続するためのコネクタが付いているので、反射係数を測定することが可能である。これら測定によって得られたＳパラメータを用いると、現実のシステムにおける上記数２は、次の数３の様になる。
【００３６】
【数３】
2011222761.tif 000005
【００３７】
ただし、次の略記を用いた。
【数４】
2011222761.tif 000006
【００３８】
【数５】
2011222761.tif 000007
【００３９】
（１）分配器として１８０°ハイブリッド回路を用いた場合
ここで、分配器として、１８０°ハイブリッド回路を使った場合を考える。この場合は、図４（ｂ）に示す様に、２つの円形シールデッドループ１、２は、該円形シールデッドループのコネクタ部１２と給電部１３を結ぶ線Ａを中心に半回転することで、その中心の磁界方向に並進対称性を有する配置である。バランスに問題ないハイブリッド回路を用いたとき、Ｓパラメータは、次の様に表すことができる。
【００４０】
【数６】
2011222761.tif 000008
このとき、数４、数５は以下の様に書き直すことができる。
【００４１】
【数７】
2011222761.tif 000009
【００４２】
【数８】
2011222761.tif 000010
【００４３】
ここで、ハイブリッド回路のポート３、ポート４の反射が等しく（つまり、Ｓ33＝Ｓ44）、コイルの反射係数が等しい（つまり、Γ3＝Γ4）とすると、次の様に近似できる。
【００４４】
【数９】
2011222761.tif 000011
【００４５】
【数１０】
2011222761.tif 000012
【００４６】
およそ、Ａ≒１、Ｄ≒０．１、Γ2＝０．０１であるとすると、最終的には、次の様になる。ここで用いるＳパラメータは予め測定した値である。
【００４７】
【数１１】
2011222761.tif 000013
ただし、Ｍは不確かさの要因で以下に表す値である。
【００４８】
【数１２】
2011222761.tif 000014
【００４９】
結局、数１１、数１２を使うことによって、ポート２に接続された電力計で測定した値から、電流値が推定され、また基準点における磁界強度が決定できる。この決定は、図には示していないが、ＰＣ(パーソナルコンピュータ)で行い、合わせて、その決定した磁界強度値を、上記ＰＣの表示画面に表示する。
【００５０】
（２）分配器としてパワースプリッターを用いた場合
分配器として、パワースプリッターを用いた場合を考える。この場合は、図４（ａ）に示す様に、２つの円形シールデッドループ１、２は、並進対称性を有する配置である。この場合には、以下の関係が成り立つ。
【数１３】
2011222761.tif 000015
【００５１】
【数１４】
2011222761.tif 000016
このとき、数４、数５は、次の様に書き直すことができる。
【００５２】
【数１５】
2011222761.tif 000017
【００５３】
【数１６】
2011222761.tif 000018
【００５４】
ここで、およそ、Ａ≒１、Ｄ≒０．１、Γ2＝０．０１であるとすると、最終的には、次の様になる。ここで用いるＳパラメータは予め測定した値である。
【００５５】
【数１７】
2011222761.tif 000019
【００５６】
ただし、Ｍは不確かさの要因で以下に表す値である。
【数１８】
2011222761.tif 000020
【００５７】
結局、数１８、数１９を使うことによって、ポート２に接続された電力計で測定した値から、電流が推定され、基準点における磁界強度が決定できる。この決定についても、図には示していないが、ＰＣ(パーソナルコンピュータ)で行い、合わせて、その決定した磁界強度値を、上記ＰＣの表示画面に表示する。
【実施例２】
【００５８】
数値シミュレーションによって、得られた結果を使って具体的な説明を行う。
図５は、直径４２ｃｍのシールデッドループ単体と本発明による磁界発生装置が作る磁界の分布を示している。図５（ａ）はシールデッドループ単体の場合で、ループが作る平面から１０．５ｃｍ離れた場所に作る磁界の分布である。図５（ｂ）は本発明による磁界発生装置が２つのシールデッドループ間から１０．５ｃｍずつ離れた中心の面に作る磁界の分布である。強度が強い場所から弱い場所に向けて、黒−灰と変化している。図５（ａ）の場合には、中心軸（Ｚ軸）上の磁界がその周辺の磁界よりも弱いことが分かる。図５（ｂ）の場合にはその傾向は見られない。また、図中に示した矢印は、磁界の方向を示している。図７（ｂ）の場合には、Ｚ軸方向の磁界しか存在しないが、図５（ａ）ではシールデッドループの半径方向にも磁界が生じており、その結果、Ｚ軸から傾いた方向に磁界が向いていることが分かる。図６に、中心からの距離に対する磁界強度分布のグラフを示す。また、図７に、中心からの距離に対する磁界の方向とＺ軸が作る角度のグラフを示す。この図から、Ｚ軸から離れるにつれて、磁界はＺ軸方向以外の方向成分を有することが分かる。
【００５９】
従来、比較的高周波の磁界をシングルシールデッドループを用いて発生させているが、図６や図７に示したように、磁界はｚ方向成分以外にも、同径方向（ループの半径方向）成分を持つ。これに対して、本発明では、上記のように磁界がｚ方向成分以外に発生しないという利点がある。
【００６０】
また、本発明のシールデッドループを用いたヘルムホルツコイル型磁界発生装置による磁界では、磁界が一定の領域の体積を大きく取れることは、図６および図７から分かる。このため、比較的大体積の試料全体を一定の磁界環境に置くことが容易にできる。この特性をもつため、たとえば、３次元磁界センサーなどの校正に本発明を適用することで、従来の場合に比べて正確な校正ができる様になる。
【産業上の利用可能性】
【００６１】
本発明は、比較的高周波数の領域で理論値どおりの磁界を発生させることが可能な標準磁界発生装置として利用することができる。この様な標準磁界発生装置は、比較的高周波数の磁界に対する生物への電磁界の影響や携帯電話をはじめとする通信機器への影響を調べる際に必要である。また、磁界測定用のプローブの校正には、既知の強度を持った磁界を発生できる標準磁界発生装置が必須となるが、本発明は比較的高周波数の領域でも適用できるため、これによって種々の周波数帯域において校正することができる。
【符号の説明】
【００６２】
１、２  シールデッドループ
３、４  同軸線路
５  分配器
６  方向性（または双方向性）結合器
７  増幅器
８  信号発生器
９  電力計
１０  導線部分
１１  同軸線路部分
１２  コネクタ
１３  給電部
１００  コイル部
２００  給電系
【図１】
2011222761.tif 000021
【図２】
2011222761.tif 000022
【図３】
2011222761.tif 000023
【図４】
2011222761.tif 000024
【図５】
2011222761.tif 000025
【図６】
2011222761.tif 000026
【図７】
2011222761.tif 000027
【図８】
2011222761.tif 000028
【図９】
2011222761.tif 000029